(57)【特許請求の範囲】
【請求項１】
１以上の外線および複数の内線を収容する構内電話装置と、前記内線に接続される第１の電話端末と、前記内線に接続され特定相手発信通知方法を指定できる第２の電話端末とからなる構内電話設備における特定相手発信通知方法であって、
前記構内電話装置にて、予め登録された特定電話番号を特定番号登録情報として記憶する処理と、第１の電話端末が前記外線または内線で発信したとき発信先が前記特定番号登録情報に記憶されている特定電話番号と一致するか否かを判定する特定番号判定処理とを行い、
前記発信先と特定電話番号が一致したときに第２の電話端末が指定した通知方法により、前記通知方法が可聴音による通知の場合は、前記第２の電話端末に前記第１の電話端末が前記外線または内線で特定電話番号に発信したことを通知する特定番号発信通知処理を行い、
前記通知方法が通話内容の聴取による通知の場合は、前記第１の電話端末と前記外線または内線との通話を前記第２の電話端末で聴取できるように制御する聴取制御処理を行い、
前記通知方法が通話内容を録音し可聴音で通知の場合は、前記第１の電話端末と前記外線または内線との通話を録音する通話録音制御処理を行うことを特徴とする特定相手発信通知方法。
【請求項２】
１以上の外線および複数の内線を収容するボタン電話主装置と、前記内線に接続される電話端末とからなるボタン電話装置において、
前記電話端末は、特定相手発信通知方法を指定する手段を備え、
前記ボタン電話主装置は、予め登録された特定電話番号を記憶しておく記憶部と、
第１の電話端末が前記外線または内線で発信したとき発信先が前記記憶部に特定番号登録情報として記憶されている特定電話番号と一致するか否かを判定する特定番号判定手段と、
前記特定番号判定手段が一致したと判定すると第２の電話端末が指定した通知方法により、前記通知方法が可聴音による通知の場合に、前記第２の電話端末に前記第１の電話端末が前記外線または内線で特定電話番号に発信したことを通知する特定番号発信通知手段と、
前記通知方法が通話内容の聴取による通知の場合に、前記第１の電話端末と前記外線または内線との通話を前記第２の電話端末で聴取できるように制御する聴取制御手段と、
前記通知方法が通話内容を録音し可聴音で通知の場合に、前記第１の電話端末と前記外線または内線との通話を録音する通話録音制御手段とを備えたことを特徴とするボタン電話装置。
【発明の詳細な説明】
【技術分野】
【０００１】
本発明は、構内電話設備の内線に接続された電話端末から特定の相手（例えば、警察・消防／救急）に発信した場合、その旨を他の電話端末に通知する特定相手発信通知方法および特定相手発信通知機能を備えたボタン電話装置に関する。
【背景技術】
【０００２】
電話端末より特定の相手（例えば、警察・消防／救急として説明する）に発信した場合、発信した電話端末と、特定の相手である警察・消防／救急が通話中に、電話端末が終話（通話を終了する操作）したとすると、警察・消防／救急より確認のため呼び返し操作が行われ、電話端末に着信する。該電話端末が着信に応答すると再度、警察・消防／救急との通話ができることが知られている。
【０００３】
また、ボタン電話装置等の構内電話設備の内線に接続した電話端末より、警察・消防／救急に発信した場合、前述の呼び返し操作が行われ、呼び返しが来ても発信した電話端末へは着信せず、通常の着信と同様に予め着信設定されている電話端末が着信鳴動し、そこで応答しても警察・消防／救急へ発信した電話端末ではないので、意志の疎通ができない問題が発生している。
【０００４】
この問題を解消するため、警察・消防／救急への発信を行った電話端末の内線電話番号を記録しておき、呼び返しがあったとき、先に記録しておいた内線電話番号に着信させることが開示されている（例えば、特許文献１参照）。
【０００５】
しかし、例えば、ホテルや旅館でボタン電話装置等を構内電話設備として使用していた場合、構内電話設備の内線に接続された電話端末より警察・消防／救急に発信した場合、呼び返しが来て、発信した電話端末で応答し、警察・消防／救急と意志の疎通ができたとしても、前記電話端末を使用した人が改めてホテルや旅館のフロントまたは帳場等に通知しないと、フロントまたは帳場等では、そのような発信が行われたことを知ることが出来ない。一般的に、警察・消防／救急に発信するような場合は、気が動転しており、フロントまたは帳場等へ通知することまで気が回らないことが多く、フロントまたは帳場等では警察・消防／救急が到着してから始めて発信があったことを知ることになる。
【０００６】
また、ホテルや旅館での使用に限らず、一般の事業所等でも、例えば、総務部門または守衛所若しくは受付等で同様な問題がある。
【先行技術文献】
【特許文献】
【０００７】
【特許文献１】特開２００１−６９５４０号公報
【発明の概要】
【発明が解決しようとする課題】
【０００８】
解決しようとする問題点は、ボタン電話装置等の構内電話設備の内線に収容された電話端末より特定の相手に発信した場合、その旨を他の電話端末等に通知することである。
【課題を解決するための手段】
【０００９】
上記課題を解決するために、本発明は、１以上の外線および複数の内線を収容する構内電話装置と、前記内線に接続される電話端末とからなる構内電話設備において、予め登録された特定電話番号を記憶しておく特定番号登録情報と、第１の電話端末が前記外線で発信したとき発信先が前記特定番号登録情報に記憶されている特定電話番号と一致するか否かを判定する特定番号判定手段と、前記特定番号判定手段が一致したと判定すると第２の電話端末に前記第１の電話端末が前記外線で特定電話番号に発信したことを通知する特定番号発信通知手段を備えるのが好ましい。
【００１０】
すなわち、本発明は、１以上の外線および複数の内線を収容する構内電話装置と、前記内線に接続される第１の電話端末と、前記内線に接続され特定相手発信通知方法を指定できる第２の電話端末とからなる構内電話設備における特定相手発信通知方法であって、前記構内電話装置にて、予め登録された特定電話番号を特定番号登録情報として記憶する処理と、第１の電話端末が前記外線または内線で発信したとき発信先が前記特定番号登録情報に記憶されている特定電話番号と一致するか否かを判定する特定番号判定処理とを行い、前記発信先と特定電話番号が一致したときに第２の電話端末が指定した通知方法により、前記通知方法が可聴音による通知の場合は、前記第２の電話端末に前記第１の電話端末が前記外線または内線で特定電話番号に発信したことを通知する特定番号発信通知処理を行い、前記通知方法が通話内容の聴取による通知の場合は、前記第１の電話端末と前記外線または内線との通話を前記第２の電話端末で聴取できるように制御する聴取制御処理を行い、前記通知方法が通話内容を録音し可聴音で通知の場合は、前記第１の電話端末と前記外線または内線との通話を録音する通話録音制御処理を行う特定相手発信通知方法である。
【００１１】
また、本発明は、１以上の外線および複数の内線を収容するボタン電話主装置と、前記内線に接続される電話端末とからなるボタン電話装置において、前記電話端末は、特定相手発信通知方法を指定する手段を備え、前記ボタン電話主装置は、予め登録された特定電話番号を記憶しておく記憶部と、第１の電話端末が前記外線または内線で発信したとき発信先が前記記憶部に特定番号登録情報として記憶されている特定電話番号と一致するか否かを判定する特定番号判定手段と、前記特定番号判定手段が一致したと判定すると第２の電話端末が指定した通知方法により、前記通知方法が可聴音による通知の場合に、前記第２の電話端末に前記第１の電話端末が前記外線または内線で特定電話番号に発信したことを通知する特定番号発信通知手段と、前記通知方法が通話内容の聴取による通知の場合に、前記第１の電話端末と前記外線または内線との通話を前記第２の電話端末で聴取できるように制御する聴取制御手段と、前記通知方法が通話内容を録音し可聴音で通知の場合に、前記第１の電話端末と前記外線または内線との通話を録音する通話録音制御手段とを備えたボタン電話装置である。
【発明の効果】
【００１２】
本発明によれば、ボタン電話装置等の構内電話設備の内線に接続された第１の電話端末より特定の相手に発信した場合、その旨を他の電話端末（第２の電話端末）に通知することができ、例えば、ホテルや旅館で第１の電話端末より警察・消防／救急に発信した場合、前記第１の電話端末を使用した人が改めてホテルや旅館のフロントまたは帳場等（第２の電話端末）に通知しなくても、フロントまたは帳場等へ通知されるので、警察・消防／救急が到着する前に必要な処置をすることができる。
【００１３】
また、本発明によれば、ホテルや旅館のフロントまたは帳場等（第２の電話端末）に、人が居た場合には、第１の電話端末と特定の相手（例えば、警察・消防／救急）との通話内容を聴取することができるので、より具体的な処置をすることができる。
【００１４】
さらに、本発明によれば、ホテルや旅館のフロントまたは帳場等（第２の電話端末）に、人が居なかった場合には、第１の電話端末と特定の相手（例えば、警察・消防／救急）との通話内容を録音しておくことができるので、フロントまたは帳場等へ人が戻ったときに、その旨の通知を認識してから録音内容を確認することができ、具体的な処置をすることができる。
【００１５】
なお、本発明によれば、ホテルや旅館のフロントまたは帳場等へ警察・消防／救急への発信を通知すること以外に、一般の事業所等で例えば、タクシー会社の配車受付電話番号を特定番号として登録しておけば、第１の電話端末がタクシーの配車をタクシー会社に依頼したことを第２の電話端末（例えば、守衛所や受付等）へ通知することが出来るので、守衛所や受付等では誰が呼んだタクシーかを的確に把握することができるため、事務処理の効率向上を図ることができる。
【図面の簡単な説明】
【００１６】
【図１】本発明に係るボタン電話装置を構成するボタン電話主装置１０と、ボタン電話機２０の構成概略図。
【図２】本発明に係るボタン電話主装置１０の中央制御部１１と、記憶部１６の機能ブロック図。
【図３】本発明に係るボタン電話主装置１０の中央制御部１１内の処理フローチャート。
【発明を実施するための形態】
【００１７】
以下、本発明の実施形態について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機もしくは単独電話機を用いることができる。また、本発明は、ボタン電話装置で実施するだけでなく、構内交換機等の構内電話設備で実施しても良い。さらに、第２の電話端末としては、ホテルや旅館で使用される、いわゆる「フロント操作台」等で実施しても良い。
【００１８】
図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の中央制御部１１内の処理フローチャートである。
【００１９】
まず、図１を用いてボタン電話装置を構成するボタン電話主装置１０と、ボタン電話機２０の構成の概要を説明する。ボタン電話装置は、１以上の外線および複数の内線を収容するボタン電話主装置１０と、該ボタン電話主装置１０に接続された複数のボタン電話機２０−１〜２０−ｎ（電話端末）から構成される。
【００２０】
ボタン電話主装置１０は、少なくとも、中央制御部１１と、通話路スイッチ１２と、１以上の外線回路１３−１〜１３−ｎと、音声合成部１４と、複数の内線回路１５−１〜１５−ｎと、記憶部１６と、録音部１７を有して構成される。
【００２１】
中央制御部１１は、ボタン電話主装置１０の各回路からの入力情報（ボタン電話機２０からの情報も含む）に対する解析や判断、記憶部１６に対する情報の入出力、各回路の制御を行う。
【００２２】
通話路スイッチ１２は、ボタン電話主装置１０内の交換処理（外線１３−１〜１３−ｎと内線１５−１〜１５−ｎの接続、音声合成部１４の内線１５への接続、外線１３と内線１５の通話を第２の電話端末に対応する内線１５へ接続、外線１３と内線１５の通話を録音部１７へ接続、他）を行う。
【００２３】
外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。
【００２４】
音声合成部１４は、第１の電話端末より特定の相手（例えば、警察）に発信した場合、その旨を第２の電話端末（ボタン電話機）に可聴音として通知する回路であり、本実施例では、音声合成による言葉（例えば、「警察への通報がありました。」）を、通話路スイッチ１２経由で送出する回路で説明する。なお、本実施例では可聴音として音声合成により得た音声としたが、この音声は、フレーズ毎の合成ではなくて、一連のメッセージとして予め録音しておいたものでも良く、トーン信号等の可聴音を使用しても良い。また、可聴音送出部は、ボタン電話機２０内に設けても良い。
【００２５】
内線回路１５−１〜１５−ｎは、ボタン電話機２０−１〜２０−ｎと音声データ、制御データの通信を行うためのインタフェース回路である。
【００２６】
記憶部１６は、通常の記憶部としての働きの他に、複数の特定電話番号が記憶され、第１の電話端末より特定の相手（特定電話番号）に発信した場合、その旨を第２の電話端末に通知するときに、特定電話番号毎に通知すべき第２の電話端末の内線電話番号若しくは内線収容位置情報が記憶される。
【００２７】
録音部１７は、第１の電話端末より特定の相手（特定電話番号）に発信した場合、その通話内容を録音する手段である。
【００２８】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＥＤ表示器２９と、ＬＣＤ表示器３０を有して構成される。
【００２９】
制御部２１は、ボタン電話機２０内の各回路からの入力情報に対する解析や判断、各回路の制御を行う。
【００３０】
データ送受信回路２２は、内線を介してボタン電話主装置１０と音声データ、制御データの通信を行うためのインタフェース回路である。
【００３１】
音声処理部２３は、音声のデジタル／アナログ変換、アナログ／デジタル変換と、ボタン電話機２０内の送受話器２４やスピーカ２５等との通話路切替および音量を制御する。
【００３２】
送受話器２４は、一般的な通話時の送話、受話を行うためのハンドセットである。
【００３３】
スピーカ２５は、通常は着信音の送出や、スピーカによる拡声受話に使用し、第１の電話端末より特定の相手（例えば、警察）に発信した場合、その旨を第２の電話端末（ボタン電話機）に通知する可聴音として、音声合成による言葉（例えば、「警察への通報がありました。」）を出力する（前述したように、トーン信号等の可聴音を使用しても良い）。
【００３４】
ダイヤルキー２６は、電話番号を入力する手段であり、また、各種設定の入力手段としても用いられる。
【００３５】
外線キー２７は、１以上の外線から使用したい外線を選択するための複数のボタンである。
【００３６】
機能キー２８は、ボタン電話装置で一般的に使用する“保留”ボタン、“拡声受話”ボタン、“設定”ボタン、および後述する“通知”ボタン等の入力手段である。
【００３７】
ＬＥＤ表示器２９は、必要に応じて機能キー２８に対応して設けられる。本実施例では、第１の電話端末より特定の相手（例えば、警察・消防／救急）に発信した場合、その旨を第２の電話端末（ボタン電話機）に通知する可視表示として、機能キー２８に、前述した、“通知”ボタンを設け、その“通知”ボタンに対応したＬＥＤ表示“通知”を設け、通知を可視表示する一手段としている。
【００３８】
また、第２の電話端末の機能キー２８の“通知”ボタンを操作することにより、第１の電話端末より特定の相手に発信したときに録音された通話録音の内容を、聴取することもできる。
【００３９】
さらに、第２の電話端末が、前述したホテルや旅館で使用される、いわゆる「フロント操作台」等の場合は、図示していないが、通知された情報をプリンタ等で印字出力しても良い。
【００４０】
ＬＣＤ表示器３０は、電話番号、通話時間等を表示する。また、第１の電話端末より特定の相手（例えば、警察）に発信した場合、その旨を第２の電話端末（ボタン電話機）に通知する可聴音を送出している間、および、その後何らかの変化があるまで、例えば“警察へ通報中”などの可視表示を行う。
【００４１】
次に、本発明に係るボタン電話主装置１０の中央制御部１１と記憶部１６の機能構成を、図２を用いて説明する。ボタン電話主装置１０は、中央制御部１１が、少なくとも、外線回路制御手段Ｆ４０と、録音制御手段Ｆ４１と、通話路制御手段Ｆ４２と、音声合成制御手段Ｆ４３と、データ送受信手段Ｆ４４と、受信分析手段Ｆ４５と、特定番号判定手段Ｆ４６と、特定番号発信通知手段Ｆ４７と、聴取制御手段Ｆ４８と、通話録音制御手段Ｆ４９とを有しており、記憶部１６に予め登録された特定番号登録情報Ｆ５０を格納して構成される。なお、以下の説明では便宜上、第１の電話端末をボタン電話機２０−１とし、対応する内線回路を内線回路１５−１とする。また、第２の電話端末をボタン電話機２０−ｎとし、対応する内線回路を内線回路１５−ｎとして説明する。
【００４２】
外線回路制御手段Ｆ４０は、外線発着信の制御を行い、外線着信を検出すると公知の手段でデータ送受信手段Ｆ４４に通知し、内線回路１５を経由してボタン電話機２０に着信表示をする（図示していない）。外線発信時は、特定番号判定手段Ｆ４６から通知された外線の相手電話番号へ発信する指示を出す機能を有している。
【００４３】
録音制御手段Ｆ４１は、録音部１７の制御を行い、通話録音制御手段Ｆ４９から通話録音の通知を受けると、録音部１７に外線回路１３と内線回路１５−１との通話を録音する指示を出す機能を有している。
【００４４】
通話路制御手段Ｆ４２は、特定番号発信通知手段Ｆ４７および通話録音制御手段Ｆ４９から通知を受けると、音声合成部１４と内線回路１５−ｎを接続する指示を通話路スイッチ１２へ出す機能を有していると共に、聴取制御手段Ｆ４８から通知を受けると、外線回路１３、内線回路１５−１、内線回路１５−ｎとの間を３者接続する指示を通話路スイッチ１２へ出す機能を有している。また、通話録音制御手段Ｆ４９から通知を受けると、外線回路１３、内線回路１５−１、録音部１７との間を３者接続する指示を通話路スイッチ１２へ出す機能を有している。
【００４５】
音声合成制御手段Ｆ４３は、特定番号発信通知手段Ｆ４７および通話録音制御手段Ｆ４９から特定電話番号の通知を受けると、通知の内容に応じた音声を合成し、送出する指示を音声合成部１４へ出す機能を有している。この例としては、特定電話番号に応じ、特定電話番号が警察の場合は、例えば、「警察への通報がありました。」を、特定電話番号が消防／救急の場合は、例えば、「消防、救急への通報がありました。」を、特定電話番号がタクシー会社の場合は、例えば、「日本タクシーを呼びました。」を送出する指示を出す。
【００４６】
データ送受信手段Ｆ４４は、各手段よりボタン電話機２０へ送出する情報を受けると、内線回路１５を経由してボタン電話機２０へ情報を送出する機能を有している。また、ボタン電話機２０から内線回路１５を経由して情報を受信すると、受信分析手段Ｆ４５へ通知する機能を有している。
【００４７】
受信分析手段Ｆ４５は、データ送受信手段Ｆ４４より通知を受けると、情報の内容を分析し、各手段に引き継ぐ機能を有しているが、本発明に直接関連しない処理は公知のため説明を省略する。本発明に関連する処理としては、ボタン電話機２０−１が外線回路１３へ発信したとき相手電話番号を検出すると、特定番号判定手段Ｆ４６へ通知する機能を有している。
【００４８】
特定番号判定手段Ｆ４６は、受信分析手段Ｆ４５からボタン電話機２０−１が外線１３へ発信した相手電話番号を受けると、記憶部１６に格納されている特定番号登録情報Ｆ５０と一致するか否かを判定し、一致した場合は、予め設定されている通知方法（図示していない）により、
Ａ：可聴音による通知の場合は、特定番号発信通知手段Ｆ４７へ特定番号一致を通知する。
Ｂ：通話内容の聴取による通知の場合は、聴取制御手段Ｆ４８へ特定番号一致を通知する。
Ｃ：通話内容を録音し可聴音で通知の場合は、特定番号発信通知手段Ｆ４７および通話録音制御手段Ｆ４９へ特定番号一致を通知する。
と通知方法を選択する機能を有している。また、受信分析手段Ｆ４５から受けた相手電話番号を、外線回路制御手段Ｆ４０へ通知する機能を有している。
【００４９】
なお、本実施例では、前述したように通知方法は予め設定された内容で選択することで説明しているが、予め設定せず、ボタン電話機２０−ｎ（第２の電話端末）側の操作で選択する方法、
例えば、ボタン電話機２０−ｎの機能キー２８に“選択”ボタンを設け、初期では、Ａ：可聴音の通知とし、“選択”ボタンを操作すると、Ｂ：通話内容の聴取による通知に変更、さらに“選択”ボタンを操作すると、Ｃ：通話内容を録音し可聴音で通知に変更、さらに“選択”ボタンを操作すると、Ａ：可聴音の通知、に戻り、以後“選択”ボタンの操作で同様に切り替わるような選択方法としても良い。
【００５０】
また、最初に、可聴音の通知を行い、その後、ボタン電話機２０−ｎが空きの場合は、通話内容の聴取に移行し、ボタン電話機２０−ｎが通話中の場合は、通話内容を録音するように移行しても良い。
【００５１】
特定番号発信通知手段Ｆ４７は、特定番号判定手段Ｆ４６から特定番号一致を受けると、通話路制御手段Ｆ４２へ音声合成部１４と内線回路１５−ｎを接続する通知を出し、音声合成制御手段Ｆ４３へ特定電話番号に対応した音声を送出する通知を出し、データ送受信手段Ｆ４４へボタン電話機２０−ｎのスピーカ２５の動作情報、ＬＥＤ表示器２９のＬＥＤ表示“通知”を点灯させる情報、およびＬＣＤ表示器３０へ特定電話番号に対応した文字情報を通知する機能を有している。
【００５２】
聴取制御手段Ｆ４８は、特定番号判定手段Ｆ４６から特定番号一致を受けると、通話路制御手段Ｆ４２へ外線回路１３、内線回路１５−１、内線回路１５−ｎとの間を３者接続する通知を出し、データ送受信手段Ｆ４４へボタン電話機２０−ｎのスピーカ２５の動作情報、ＬＥＤ表示器２９のＬＥＤ表示“通知”を点灯させる情報、およびＬＣＤ表示器３０へ特定電話番号に対応した文字情報を通知する機能を有している。
【００５３】
通話録音制御手段Ｆ４９は、特定番号判定手段Ｆ４６から特定番号一致を受けると、通話路制御手段Ｆ４２へ音声合成部１４と内線回路１５−ｎを接続する通知を出し、音声合成制御手段Ｆ４３へ特定電話番号に対応した音声を送出する通知を出し、データ送受信手段Ｆ４４へボタン電話機２０−ｎのスピーカ２５の動作情報、およびＬＣＤ表示器３０へ特定電話番号に対応した文字情報を通知する機能を有している。
【００５４】
また、通話録音制御手段Ｆ４９は、通話路制御手段Ｆ４２へ、外線回路１３、内線回路１５−１、録音部１７との間を３者接続する通知を出し、録音制御手段Ｆ４１へ通話録音の通知を出し、データ送受信手段Ｆ４４へボタン電話機２０−ｎのＬＥＤ表示器２９のＬＥＤ表示“通知”を点滅させる情報を通知する機能を有している。
【００５５】
なお、ボタン電話機２０−ｎのＬＥＤ表示器２９のＬＥＤ表示“通知”は、点灯している場合は、例えば、可聴音の通知、または通話内容の聴取による通知を意味し、点滅している場合は、例えば、通話内容を録音しているとの意味を持たせている。
【００５６】
記憶部１６の特定番号登録情報Ｆ５０は、特定電話番号（例えば、警察：１１０、消防／救急：１１９、タクシー会社：ＸＸＸＸ−ＸＸＸＸ、等）と、特定電話番号に対応する通知すべきボタン電話機２０−ｎの内線電話番号若しくは内線収容位置情報が記憶されている。なお、特定電話番号は複数（例えば、１０箇所）記憶できるように構成している。
【００５７】
また、図示していないが、記憶部１６は、特定電話番号へ発信したときの通知方法（Ａ：可聴音の通知、Ｂ：通話内容の聴取による通知、Ｃ：通話内容を録音し可聴音で通知）の情報も格納されている。なお、通知方法は一律に定めなくとも、特定電話番号毎に設定しても良い（例えば、警察・消防／救急は通話内容の聴取または通話内容を録音し可聴音で通知、タクシー会社は可聴音の通知、等）。
【００５８】
次に、図３を用いて、ボタン電話主装置１０の中央制御部１１内の特定番号判定手段Ｆ４６と、特定番号発信通知手段Ｆ４７と、聴取制御手段Ｆ４８と、通話録音制御手段Ｆ４９の処理を説明する。図３は、受信分析手段Ｆ４５から相手電話番号が通知されたところから開始している。なお、各ステップの順番は一例を示すものであり、任意に入れ替えてても良い。また、通知先（ボタン電話機２０−ｎ）が通話中の場合の処理については、図３に関わらず、例えば、ボタン電話機２０−ｎのＬＣＤ表示器３０へ文字表示をしても良い。
【００５９】
まず、特定番号判定手段Ｆ４６は、受信分析手段Ｆ４５から通知された相手電話番号を外線回路制御手段Ｆ４０へ通知する（Ｓ６０）。次に、通知された相手電話番号が、記憶部１６の特定番号登録情報Ｆ５０と一致するか否かの判定を行う（Ｓ６１）。一致しなかった場合（Ｎｏ）は処理を終了する。一致した場合（Ｙｅｓ）は予め設定されている通知方法を分析し、可聴音の通知の場合は特定番号発信通知手段Ｆ４７へ引き継ぐ。通話内容の聴取による通知の場合は聴取制御手段Ｆ４８へ引き継ぐ。通話内容を録音し可聴音で通知の場合は通話録音制御手段Ｆ４９へ引継ぎを行う（Ｓ６２）。
【００６０】
ステップＳ６２の分析で可聴音の通知であった場合、特定番号発信通知手段Ｆ４７は、特定電話番号に対応した通知先（ボタン電話機２０−ｎ）が通話中かの判定を行う（Ｓ７０）。通話中であった場合（Ｙｅｓ）は、データ送受信手段Ｆ４４へボタン電話機２０−ｎのＬＥＤ表示器２９のＬＥＤ表示“通知”を点灯させる情報を通知する（Ｓ７１）。
【００６１】
ステップＳ７０で通話中ではない場合（Ｎｏ）は、通話路制御手段Ｆ４２へ音声合成部１４と内線回路１５−ｎを接続する通知を出し（Ｓ７２）、音声合成制御手段Ｆ４３へ特定電話番号に対応した音声を送出する通知を出し（Ｓ７３）、データ送受信手段Ｆ４４へボタン電話機２０−ｎのスピーカ２５の動作情報を通知し（Ｓ７４）、ボタン電話機２０−ｎのＬＣＤ表示器３０へ特定電話番号に対応した文字情報を通知し（Ｓ７５）、ステップＳ７１へ引き継ぐ。
【００６２】
ステップＳ６２の分析で通話内容の聴取による通知であった場合、聴取制御手段Ｆ４８は、特定電話番号に対応した通知先（ボタン電話機２０−ｎ）が通話中かの判定を行う（Ｓ８０）。通話中であった場合（Ｙｅｓ）は、データ送受信手段Ｆ４４へボタン電話機２０−ｎのＬＥＤ表示器２９のＬＥＤ表示“通知”を点灯させる情報を通知する（Ｓ８１）。
【００６３】
ステップＳ８０で通話中ではない場合（Ｎｏ）は、通話路制御手段Ｆ４２へ外線回路１３、内線回路１５−１、内線回路１５−ｎとの間を３者接続する通知を出し（Ｓ８２）、データ送受信手段Ｆ４４へボタン電話機２０−ｎのスピーカ２５の動作情報を通知し（Ｓ８３）、ボタン電話機２０−ｎのＬＣＤ表示器３０へ特定電話番号に対応した文字情報を通知し（Ｓ８４）、ステップＳ８１へ引き継ぐ。
【００６４】
ステップＳ６２の分析で通話内容を録音し可聴音で通知であった場合、通話録音制御手段Ｆ４９は、特定電話番号に対応した通知先（ボタン電話機２０−ｎ）が通話中かの判定を行う（Ｓ９０）。通話中ではない場合（Ｎｏ）は、通話路制御手段Ｆ４２へ音声合成部１４と内線回路１５−ｎを接続する通知を出し（Ｓ９１）、音声合成制御手段Ｆ４３へ特定電話番号に対応した音声を送出する通知を出し（Ｓ９２）、データ送受信手段Ｆ４４へボタン電話機２０−ｎのスピーカ２５の動作情報と、ＬＣＤ表示器３０へ特定電話番号に対応した文字情報を通知し（Ｓ９３）、ステップＳ９４へ引き継ぐ。
【００６５】
ステップＳ９０で通話中であった場合（Ｙｅｓ）は、通話路制御手段Ｆ４２へ外線回路１３、内線回路１５−１、録音部１７との間を３者接続する通知を出し（Ｓ９４）、録音制御手段Ｆ４１へ通話録音の通知を出し（Ｓ９５）、データ送受信手段Ｆ４４へボタン電話機２０−ｎのＬＥＤ表示器２９のＬＥＤ表示“通知”を点滅させる情報を通知する（Ｓ９６）。
【００６６】
すなわち、本発明の特定相手発信通知方法は、１以上の外線および複数の内線を収容する構内電話装置であるボタン電話主装置１０と、前記内線に接続される電話端末であるボタン電話機２０−１〜２０−ｎとからなる構内電話設備であるボタン電話装置における特定相手発信通知方法であって、ボタン電話主装置１０の記憶部１６に予め登録された特定電話番号を記憶しておく特定番号登録情報Ｆ５０を格納し、中央制御部１１に、第１の電話端末であるボタン電話機２０−１が外線回路１３で発信したとき発信先が特定番号登録情報Ｆ５０に記憶されている特定電話番号と一致するか否かを判定する特定番号判定手段Ｆ４６と、特定番号判定手段Ｆ４６が一致したと判定すると第２の電話端末であるボタン電話機２０−ｎに第１の電話端末であるボタン電話機２０−１が外線回路１３で特定電話番号に発信したことを通知する特定番号発信通知手段Ｆ４７を備えた。また、特定番号判定手段Ｆ４６が一致したと判定すると第１の電話端末であるボタン電話機２０−１と外線回路１３との通話を第２の電話端末であるボタン電話機２０−ｎで聴取できるように制御する聴取制御手段Ｆ４８を備えた。さらに、特定番号判定手段Ｆ４６が一致したと判定すると第１の電話端末であるボタン電話機２０−１と外線回路１３との通話を録音する通話録音制御手段Ｆ４９を備えた。
【００６７】
本発明のボタン電話装置は、１以上の外線および複数の内線を収容するボタン電話主装置１０と、前記内線に接続される電話端末であるボタン電話機２０−１〜２０−ｎとからなるボタン電話装置において、ボタン電話主装置１０の記憶部１６に予め登録された特定電話番号を記憶しておく特定番号登録情報Ｆ５０を格納し、中央制御部１１に、第１の電話端末であるボタン電話機２０−１が外線回路１３で発信したとき発信先が特定番号登録情報Ｆ５０に記憶されている特定電話番号と一致するか否かを判定する特定番号判定手段Ｆ４６と、特定番号判定手段Ｆ４６が一致したと判定すると第２の電話端末であるボタン電話機２０−ｎに第１の電話端末であるボタン電話機２０−１が外線回路１３で特定電話番号に発信したことを通知する特定番号発信通知手段Ｆ４７を備えた。また、特定番号判定手段Ｆ４６が一致したと判定すると第１の電話端末であるボタン電話機２０−１と外線回路１３との通話を第２の電話端末であるボタン電話機２０−ｎで聴取できるように制御する聴取制御手段Ｆ４８を備えた。さらに、特定番号判定手段Ｆ４６が一致したと判定すると第１の電話端末であるボタン電話機２０−１と外線回路１３との通話を録音する通話録音制御手段Ｆ４９を備えた。
【符号の説明】
【００６８】
１０  ボタン電話主装置（構内電話装置）
１１  中央制御部
１２  通話路スイッチ
１３  外線回路
１４  音声合成部
１５  内線回路
１６  記憶部
１７  録音部
２０  ボタン電話機（電話端末）
２１  制御部
２２  データ送受信回路
２３  音声処理部
２４  送受話器
２５  スピーカ
２６  ダイヤルキー
２７  外線キー
２８  機能キー
２９  ＬＥＤ表示器
３０  ＬＣＤ表示器
Ｆ４０  外線回路制御手段
Ｆ４１  録音制御手段
Ｆ４２  通話路制御手段
Ｆ４３  音声合成制御手段
Ｆ４４  データ送受信手段
Ｆ４５  受信分析手段
Ｆ４６  特定番号判定手段
Ｆ４７  特定番号発信通知手段
Ｆ４８  聴取制御手段
Ｆ４９  通話録音制御手段
Ｆ５０  特定番号登録情報
【図１】
0004336388.tif 000002
【図２】
0004336388.tif 000003
【図３】
0004336388.tif 000004